(57)【要約】【課題】  特許情報を関連付けて時系列的に配列することにより、特許情報の技術的な把握を大局的かつ容易に行え、分析作業の能率向上等を図り得る特許マップ表示装置を提供する。【解決手段】  少なくとも入力手段と表示手段を有し、入力手段で入力された検索式に基づいて作成された特許マップを表示手段に表示し得る特許マップ表示装置であって、特許マップは、縦横一方の軸に技術項目等の所定項目が指定され他方の軸に時間が指定されると共に、抽出された特許情報の前記所定項目に対応した各情報項目が時間と関連付けられて、識別されたり連結線を介して盤面状に配列されることを特徴とする。【選択図】  図２
2005165861.tif 000002
【特許請求の範囲】
【請求項１】
少なくとも入力手段と表示手段を有し、前記入力手段で入力された検索式に基づいて作製された特許マップを前記表示手段に表示し得る特許マップ表示装置であって、
前記特許マップは、縦横一方の軸に技術項目等の所定項目が指定され他方の軸に時間が指定されると共に、抽出された特許情報の前記所定項目に対応した各情報項目が時間と関連付けられて盤面状に配列されていることを特徴とする特許マップ表示装置。
【請求項２】
前記特許情報は、その複数の情報項目が時間軸と直交する方向に連結線を介して配列されていることを特徴とする請求項１に記載の特許マップ表示装置。
【請求項３】
前記特許情報は、その複数の情報項目が識別されていることを特徴とする請求項１または２に記載の特許マップ表示装置。
【発明の詳細な説明】
【技術分野】
【０００１】
本発明は、特許情報群の中から例えば検索式によって抽出した特許情報を分析することで作成された特許マップを表示し得る特許マップ表示装置に関する。
【背景技術】
【０００２】
一般的に、特許庁から発行されるＣＤ−ＲＯＭ特許公報等の特許情報を分析する場合、特許情報群の中から、所定の検索式に基づいて対象特許情報を抽出すると共に、この抽出した対象特許情報に基づき各種の特許マップを作成して画面上に表示する特許マップ表示装置が使用されている。
【０００３】
従来、この特許マップ表示装置で作成表示される特許マップは、特許情報が有するキーワード、分類、発明者、出願人等のデータ（情報項目）に着目して、それらのデータを集計することにより作成され、時間軸を考慮して時間データで集計すると時系列マップが得られ、時間軸を無視して作成するとランキングマップやマトリクスマップが得られるようになっている。また、データに着目して作成される特許マップは、どんなデータがどのくらいの件数あるか、それが時間的にどのように変化したか表すものが主流である。なお、この種の特許文献としては、例えば特許文献１及び特許文献２に開示のものが知られている。
【特許文献１】特開平８−２２１４３５号公報
【特許文献２】特開２００２−１７５３１４号公報
【発明の開示】
【発明が解決しようとする課題】
【０００４】
しかしながら、このような特許マップにおいては、データに着目して計数処理し、特許情報をデータとして捕らえるため、一個の技術思想として把握することが困難である。また、特許情報を技術内容に着目して把握する場合、例えば詳細把握のためには、先ず要約書や明細書全文を読んで理解する必要があることは言うまでもない。しかし、詳細把握ではなく、関連する個々の特許情報の概要を大局的に理解する場合であっても、対応する特許情報を目次や要約、抄録等の一覧リストの形に表示させ、目で読んでチェックするのが通常であり、いずれにせよ、技術的な内容の把握のためには、文章を読まなければならず、その作業が大変困難で面倒であるという問題点を有している。そして、この文章を読む作業は、出願番号や公開番号等の順番（番号順）に行うのが一般的である。
【０００５】
本発明は、このような事情に鑑みてなされたもので、特許情報には第１発明情報、第２発明情報・・と複数の発明情報が付与されていることに着目し、その目的は、特許情報を関連付けて時系列的に配列することにより、特許情報の技術的な把握を大局的かつ容易に行え、分析作業の能率向上等を図り得る特許マップ表示装置を提供することにある。
【課題を解決するための手段】
【０００６】
かかる目的を達成すべく、本発明のうち請求項１に記載の発明は、少なくとも入力手段と表示手段を有し、前記入力手段で入力された検索式に基づいて作成された特許マップを前記表示手段に表示し得る特許マップ表示装置であって、前記特許マップは、縦横一方の軸に技術項目等の所定項目が指定され他方の軸に時間が指定されると共に、抽出された特許情報の前記所定項目に対応した各情報項目が時間と関連付けられて盤面状に配列されていることを特徴とする。
【０００７】
そして、前記特許情報は、請求項２に記載の発明のように、その複数の情報項目が時間軸と直交する方向に連結線を介して配列されていることが好ましく、また、請求項３に記載の発明のように、その複数の情報項目が識別されていることが好ましい。
【発明の効果】
【０００８】
本発明のうち請求項１に記載の発明によれば、一方の軸に分類等の所定項目が指定され他方の軸に公開日等の時間が指定され、抽出された特許情報の所定項目に対応する複数の情報項目が、時間軸に関連付けられて盤面状に配列されるため、複数の情報項目を有する特許情報を時間軸に沿って配列できて、抽出された関連する特許情報の把握が盤面上で大局的に容易に行えると共に、特許情報の技術範囲の把握が的確かつ容易に行え、分析作業の能率向上や分析結果の信頼性向上等を図ることができる。
【０００９】
また、請求項２に記載の発明によれば、請求項１に記載の発明の効果に加え、抽出された特許情報の複数の情報項目が、時間軸と直交する方向に連結線で連結されて配列されているため、各特許情報が持つ情報項目（技術範囲）を一目で把握できて、関連する特許情報の把握を的確かつ容易に行うことができる。
【００１０】
さらに、請求項３に記載の発明によれば、請求項１または２に記載の発明の効果に加え、抽出された特許情報の複数の情報項目が、識別された状態で連結されているため、その発明が複数のどのような情報項目と関連を持っているか等の状態を一目で把握できて、技術的に関連する特許情報の把握を一層的確かつ容易に行うことができる。
【発明を実施するための最良の形態】
【００１１】
以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２が特許マップの表示状態の説明図、図３がその要部の説明図である。
【００１２】
図１において、特許マップ表示装置１は、ＣＰＵ３、ＲＡＭ４、ＲＯＭ５及びＩ／Ｏ６等がバスライン７を介して接続された制御装置２を有し、この制御装置２のＩ／Ｏ６の入力側には、入力手段としてのキーボード８及びマウス９と、ＭＯドライブ等を含むＣＤ−ＲＯＭ等ドライブ１０が接続され、Ｉ／Ｏ６の出力側には、表示手段としてのＣＲＴ（液晶ディスプレイを含む）からなる表示器１１と、プリンタ１２等が接続されている。
【００１３】
そして、この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報が、キーボード８やマウス９で入力された検索式等の条件に基づいて検索（抽出）され、この抽出した各種特許情報が制御装置２のＣＰＵ３に読み込まれてデータ集計されて後述する特許マップが作成され、この特許マップが表示器１１に出力されてその画面１１ａに表示されたり、あるいはプリンター１２に出力された印刷されるようになっている。
【００１４】
図２は、この特許マップ表示装置１で作成された特許マップの具体的な表示状態を示しており、以下、これについて説明する。先ず、特許マップ１３の作成表示にあたっては、前記プログラムに基づき表示器１１上に表示される所定の入力画面によって、特許マップ１３を作成する際に必要な、検索する特許情報の範囲（メイングループ等）、縦軸や横軸等の各軸の項目（所定項目）、各軸に対応して抽出された特許情報の情報項目の識別方法等の入力条件が入力設定される。
【００１５】
そして、表示器１１の入力画面で所定入力を完了し、同入力画面に設けられた作成表示キー（図示せず）をクリックすると、前記制御装置２によって入力条件に対応した対象特許情報が抽出されてその件数が集計され、例えば図２に示すような特許マップ１３が作成されて、表示器１１の画面１１ａ上に表示される。すなわち、図２に示すように、特許マップ１３は、縦軸として所定の技術範囲（図ではメイングループＨ０５Ｋ３／００）のＩＰＣ分類の各サブグループが上から順に列挙され、横軸として公開日が時間軸として指定される。
【００１６】
そして、メイングループで検索された特許情報が公開日順に横軸の左側から順に配列され、この時、各特許情報の情報項目としての、第１発明情報が「○」で表示され、第２発明情報が「□」で表示され、第３発明情報以下が「△」で表示されると共に、○や□及び△の中に特許情報の番号が例えば「１」から連番表示される。また、各特許情報の第１発明情報「○」から第３発明情報以下「△」は、上下方向（すなわち時間軸と直交する方向）に連結線１４で連結されることで、その繋がりが明確となるように設定されている。
【００１７】
これにより、例えば３番目の特許情報の場合は、図３に示すように、第１発明情報が分類ａであり、第２発明情報が分類ｂで第３発明情報以下が分類ｃであると画面１１ａ上で把握できると共に、各特許情報を時間軸方向に見ることで、例えば分類ｃ（３／０２）には、特許情報２、３、４、１０が存在することが一目で把握できることになる。
【００１８】
つまり、この特許マップ１３は、縦軸をＩＰＣとし横軸を時間としたマトリクスマップであり、情報項目としての第１発明情報〜第３発明情報以下が存在する各マス目１３ａに、当該情報項目を有する特許情報が番号（連番）で識別されて表示されるようになっている。なお、この特許マップ１３においては、例えば、所定の情報項目が存在するマス目１３ａを所定クリックすることにより、当該情報項目に対応する特許情報の抄録リスト等の詳細が表示されるようになっており、これを使用することで特許情報のより詳細な分析が可能となる。
【００１９】
このように、上記実施形態の特許マップ表示装置１によれば、縦軸にＩＰＣ等の技術項目の所定項目を指定し横軸に時間を指定しているため、抽出された関連特許情報の第１発明情報から第３発明情報等の情報項目を時間軸方向に配列できて、関連する個々の特許情報の存在を大局的に把握することができ、この時、対応する特許情報の表示欄をクリックすることで、その抄録リスト等が表示されるため、この抄録を読んで各特許情報の詳細を理解でき、特許情報の分析作業を効率的に行うことが可能となる。
【００２０】
また、関連する情報項目が縦軸方向（技術項目方向）に関連付けられて表示されるため、各特許情報の技術的な内容の広さを一目で把握することができ、特に、第１発明情報〜第３発明情報以下を符号で識別すると共に、連結線１４を介して縦軸方向に連結していることから、各情報項目の繋がり等を容易に把握でき、各特許情報の技術的内容の把握を的確かつ容易に行うことが可能となる。
【００２１】
これらにより、例えばメイングルーブで抽出された多数の特許情報の関連性や各特許情報の技術的な範囲等を特許マップ１３の盤面上で人目で把握できて、特許情報の分析作業の能率向上や分析結果の信頼性向上等を図ることが可能になると共に、表示器１１の画面１１ａによる各種の入力操作で特許マップ３が画面１１ａ上に自動的に作成表示されるため、操作性や使い勝手に優れた特許マップ表示装置１を得ることが可能となる。
【００２２】
なお、上記実施形態において、一方の軸である縦軸に指定する項目としては、ＩＰＣの他にキーワード、発明者、出願人等を指定しても良く、キーワードの場合は、一個のキーワードに限らず、複数個のキーワードの組み合わせ（論理式）であっても良いし、キーワードと発明者等の組み合わせであっても良い。また、他方の軸である横軸方向に表示配列する情報項目としては、特許情報の番号の他に、発明者名、出願人名、キーワード等であっても良いし、番号とキーワード等の組み合わせであっても良い。さらに、上記実施形態における、各特許情報の識別方法や特許マップ表示装置１のハード構成等も一例であって、本発明に係わる各発明の要旨を逸脱しない範囲において適宜に変更することができる。
【産業上の利用可能性】
【００２３】
本発明は、時間軸を横方向に配置した特許マップの他に、時間軸を縦方向に配置した特許マップ等にも適用することができる。
【図面の簡単な説明】
【００２４】
【図１】本発明に係わる特許マップ表示装置の一例を示すブロック図
【図２】同特許マップの表示状態の説明図
【図３】同その要部の説明図
【符号の説明】
【００２５】
１：特許マップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１１ａ：画面
１１ｂ：入力画面
１３：特許マップ
１３ａ：マス目
１４：連結線
【図１】
2005165861.tif 000003
【図２】
2005165861.tif 000004
【図３】
2005165861.tif 000005